(57)【要約】【課題】クリーン化効果が良好で、かつ作業性に優れた空調設備のクリーン化方法および該方法でクリーン化された空調設備を提供すること。【解決手段】  製膜性の優れた水系または水エマルジョン樹脂を既設の空調設備内に塗布、乾燥させることにより空調設備をクリーン化する。その後に、防菌剤、防カビ剤あるいは増殖防止剤を塗布しても良い。前記の水系または水エマルジョン樹脂に防菌剤、防カビ剤あるいは増殖防止剤を配合し、これを空調設備内に塗布、乾燥させることにより既設の空調設備をクリーン化しても良い。【選択図】  図２
2007111657.tif 000002
【特許請求の範囲】
【請求項１】
製膜性の優れた水系または水エマルジョン樹脂を空調設備内に塗布、乾燥させることにより樹脂膜を形成し、空調設備をクリーン化することを特徴とする方法。
【請求項２】
製膜後の樹脂膜の強度が１０Ｎ／ｍｍ２以上、破断伸度が３００％以上である請求項１に記載の方法。
【請求項３】
請求項１または２に記載の方法によりクリーン化された空調設備。
【発明の詳細な説明】
【技術分野】
【０００１】
本発明は、既設の空調設備（空調機、空調室、空調ダクト、じゃばら、吹出し口、吸引口など）のクリーン化方法に関し、さらに詳しくは、空調設備の内部に水系樹脂または水エマルジョン樹脂を塗布することにより、当該樹脂で形成された樹脂膜から構成される清浄な内面を形成することにより、空調設備をクリーン化する方法に関する。
【背景技術】
【０００２】
既存の空調設備がほこりや細菌、カビなどにより汚染された場合のクリーン化方法としては、空調設備の新規更新、内部洗浄がとられるのが普通であった。しかし、新規更新の場合には更新のための工事期間が長いことや、多額の費用がかかることから、簡単に実行できないことが多かった。
【０００３】
また、内部洗浄の場合、はたきではたいたり、圧力空気で吹き飛ばしたり、水洗洗浄したり、たまったほこりを空調設備外に排出したりすることが一般的であった（特許文献１、特許文献２）。この場合、複雑な内部を完全に洗浄することは事実上不可能であった。さらに、はたきではたいたり、圧力空気で吹き飛ばしたりする場合には、除去する過程でほこり等が室内に漏洩し、室内の雰囲気を汚すことが避けられないため、一時的に飛散する濃厚なほこりや細菌、カビ等に対する対策が必要となり、この対策が難しかった。また、水洗洗浄の場合には、空調設備から漏れる水の対策、洗浄後の細菌やカビ対策として乾燥が必要であり、空調設備内からの漏水対策や、短時間に完全に乾燥することが難しかった。ゆえに、従来の洗浄方法は建物の使用者や保有者にとって、満足のいくものではなかった。
【０００４】
さらに、フッ素樹脂や液晶ポリマーに分散させた光触媒からなるコーティング材を塗布することによっても、対象物表面に堆積する指紋などの付着物やかびなどの増殖物を除去できることが知られている（特許文献３等）。この方法は、光触媒による効果の発現に紫外線照射が必要であるため、構造が複雑（例えば長い、枝管など）な空調設備に適用した場合は、作業工程が繁雑になりすぎる。
【特許文献１】特開平９−２９０２２６号公報
【特許文献２】実開平６−５２９８１号公報
【特許文献３】特開２００４−３３１９６９号公報
【発明の開示】
【発明が解決しようとする課題】
【０００５】
本発明は、クリーン化効果が良好で、かつ作業性に優れた空調設備のクリーン化方法および該方法でクリーン化された既設の空調設備を提供することを目的とする。
【課題を解決するための手段】
【０００６】
本発明者らは、上記目的を達成すべく鋭意検討した結果、既設の空調設備の内部に新たにポリマー層を形成できれば、容易にクリーン化が可能であり、さらに詳しくは、水系樹脂または水エマルジョン樹脂を空調設備内に塗布、乾燥させて樹脂膜で清浄な内面を形成することにより、空調設備をクリーン化できることを見出し、本発明に到達した。
【０００７】
すなわち、本発明は、製膜性の優れた水系または水エマルジョン樹脂を既設の空調設備内に塗布、乾燥させることにより樹脂膜を形成し、空調設備をクリーン化することを特徴とする方法を提供する。また、本発明は、上記の方法によりクリーン化された空調設備を提供する。
【発明の効果】
【０００８】
本発明によれば、既設の空調設備の内面に清浄な樹脂層を形成させるので、既設の空調設備の内部にたまっていたほこりや繁殖していた細菌、カビ類を隔離することができ、優れたクリーン効果が得られる。また、本発明は、水系または水エマルジョン樹脂を既設の空調設備内に塗布し、付設の吸排気ファンなどで乾燥させて空調設備壁に密着させることができるので、複雑な形状を有する空調設備に対しても作業性が優れている。さらに、可燃性や毒性のある溶剤を使用しないので安全である。もちろん、新規の空調設備の内部にあらかじめ本発明の方法で樹脂層を形成させておいても良い。
【発明を実施するための最良の形態】
【０００９】
本発明による方法は、製膜性の優れた水系または水エマルジョン樹脂を空調設備内に塗布、乾燥させることにより樹脂膜を形成し、空調設備をクリーン化するものである。
【００１０】
本発明の方法で採用される製膜性の優れた水系または水エマルジョン樹脂としては、空調設備内に塗布、乾燥させた際に製膜できるものであれば良い。空調設備に対する密着性が良好で、かつ、できるだけ少ない塗布量で製膜可能であることを考慮すると、ＪＩＳ  Ｋ７１１３に基づいて測定される樹脂膜の強度が１０Ｎ／ｍｍ２以上、破断伸度が３００％以上、好ましくは４００％以上のポリマーを使用することが望ましい。樹脂層の強度および破断強度が前記の値以上であれば、製膜時に樹脂層が破れたり穴が開いたりすることなく施工することができる。
【００１１】
製膜性の優れた水系樹脂および水エマルジョン樹脂の具体例としては、エチレン酢酸ビニルコポリマー（ＥＶＡ）、ポリ酢酸ビニル、ポリビニルアルコール、ポリウレタンエマルジョン、ポリエチレンエマルジョン等があげられる。これらの水系または水エマルジョン樹脂は単独で、または２種以上を混合して使用することもできる。なかでも、低温での良好な製膜性、膜の強度・破断伸度、膜の耐水性、膜の既設設備への密着強度、ガラス転移温度、無臭性と無毒性を考慮すると、ポリウレタンエマルジョン、ポリエチレンエマルジョンおよびＥＶＡが好ましい。
【００１２】
上記の水系または水エマルジョン樹脂を塗布、乾燥する場合は、これらを例えば、スプレー法、ブラッシング法などの従来公知の方法により、空調設備内に塗布した後、付設の吸排気ファンなどを稼動させて乾燥する。塗布、乾燥後の樹脂膜の厚さは用いるポリマーの種類によっても若干異なるが、樹脂膜の厚さとしては０．０５ｍｍ以上にすることが好ましく、より好ましくは０．１ｍｍ以上である。
【００１３】
上記の塗布時に用いる水系または水エマルジョン樹脂の濃度は、樹脂分換算で５〜５０質量％の範囲が好ましい。濃度５質量％未満では塗布量が多くなるため乾燥時の負荷が大きくなり、一方、５０質量％を超えると塗布液の粘度が増大するため塗布し難くなる。前記の水系または水エマルジョン樹脂は、市販品をそのまま用いても良いし、水に溶解あるいは水で希釈して所定の濃度に調製したものを用いても良い。
【００１４】
上記の水系または水エマルジョン樹脂を塗布、乾燥後、さらに微生物の増殖を防止するために、防菌剤、防カビ剤あるいは増殖防止剤を空調設備内に塗布しても良い。この場合に適用される防菌剤としては、例えば銀や銅等の無機系抗菌剤が、抗カビ剤としては、有機窒素硫黄ハロゲン系化合物や有機窒素硫黄系化合物が、また微生物の増殖防止剤としては、下記一般式（１）で表されるホスホリルコリン類似基含有単量体を含む単量体組成物を重合してなる重合体等があげられる。
【００１５】
【化１】
2007111657.tif 000003
（ただし、式中、Ｘは２価の有機残基を示し、Ｙは炭素数１〜６のアルキレンオキシ基を示し、Ｚは水素原子もしくはＲ５−Ｏ−（Ｃ＝Ｏ）−（ただし、Ｒ５は炭素数１〜１０のアルキル基または炭素数１〜１０のヒドロキシアルキル基を示す）を示す。また、Ｒ１は水素原子もしくはメチル基を示し、Ｒ２、Ｒ３及びＲ４は同一もしくは異なる基であって、水素原子、炭素数１〜６のアルキル基またはヒドロキシアルキル基を示す。ｍは０または１を示す。ｎは１〜４の整数である。）
【００１６】
上記のホスホリルコリン類似基含有単量体の中でも、２−（（メタ）アクリロイルオキシ）エチル−２’−（トリメチルアンモニオ）エチルホスフェートが好ましく、さらに２−（メタクリロイルオキシ）エチル−２’−（トリメチルアンモニオ）エチルホスフェートが入手性及び微生物の増殖防止効果の点でより好ましい。
【００１７】
ホスホリルコリン類似基含有単量体を重合する際には、前記のホスホリルコリン類似基含有単量体の１種を単独で、もしくは２種以上を混合物として用いることができる。
【００１８】
また、上記の防菌剤、防カビ剤あるいは増殖防止剤を、予め水系または水エマルジョン樹脂に配合し、これを用いて空調設備内に塗布することもできる。この場合は、防菌剤などの配合量は、樹脂１００質量部に対して０．０１〜５．０質量部が好ましい。配合量が少なすぎる場合は微生物の増殖防止効果が不十分となり、一方、配合量が多すぎると樹脂の製膜性が悪くなる。
【実施例】
【００１９】
以下、実施例及び比較例を用いて図を参照しながら本発明を更に具体的に説明するが、本発明は以下の実施例のみに限定されるものではない。なお、図１は空調設備全体図、図２（ａ）〜（ｃ）は空調設備のクリーン化方法を説明する図である。
【００２０】
（実施例１）
空調設備材料（ＪＩＳ  Ａ４００９：空気調和および換気設備材料に準拠するもの）の５００ｍｍ角の上を養生テープで５０ｍｍ角に囲い、ここに３階建ての一般住宅の既設ダクトを清掃した際に得た各階のほこりを１ｇ（４００ｇ／ｍ２）散布した。この空調設備材料の上から、噴霧器で濃度調整した第一工業製薬株式会社製の水系ポリウレタンエマルジョン（商品名：スーパーフレックス４２０）を噴霧した。噴霧後、自然乾燥させ、空調材料に固着したほこりを指でこすり、はがれるかどうか確認し、結果を表１に示した。なお表中、○：はがれない、△：少しはがれる、×：容易にはがれる、を意味する。
【００２１】
【表１】
2007111657.tif 000004
【００２２】
（実施例２）
設置後１０年経過した亜鉛引き鉄板からなる１ｍの正方形断面の長さ１００ｍの主管空調設備（４）の側管（６）のフランジ（５）を割り、主管壁にあて板（８）をあてた。ついで、先端にノズルのついた噴霧器を既設設備内に送り込んだ。先端が行き止まりとなったところで、水系ポリウレタンエマルジョン（商品名：スーパーフレックス４２０）を２５０ｇ／ｍ２の割合で噴霧を開始し、噴霧しながら引き抜いた。側管の端末側からも同様の操作を実施し、フランジ部を覆ったあて板を撤去し、フランジを接合させた。接合後ファン（２）を回し、乾燥させ、樹脂膜を形成した。形成後、空調機の吹出し口（７）から排出される空気中のほこりの数を塵埃測定器で測定したところ、１立方フィート当たり１０００個であった。なお、施工前は１０００００個であった。
【００２３】
（実施例３）
実施例２と同じ方法で、水溶性の防カビ剤（有機窒素硫黄系化合物）をポリウレタン樹脂に対して、２質量％を溶解させた水系ポリウレタンエマルジョン（商品名：スーパーフレックス４２０）を２５０ｇ／ｍ２の割合で噴霧した。側管の端末側からも同様の操作を実施し、フランジ部を覆ったあて板を撤去し、フランジを接合させた。接合後ファン（２）を回し、乾燥させ、樹脂膜を形成した。この設備を３年間連続使用したが、カビ類がポリウレタン膜下および膜上に増殖することはなかった。
【産業上の利用可能性】
【００２４】
本発明の方法によれば、菌やカビで汚染されている空調設備をクリーン化することができ、空調設備の新規更新、或いは内部洗浄といった方法によらずに、クリーン化された空調設備を得ることができる。また、本発明の方法によりクルーン化された空調設備を新たに設置することもできる。本発明の方法は、病院を始め、学校、工場、厨房、ビル、住宅、倉庫、乗り物などに設置された、あるいは新たに設置される空調設備のクリーン化に適用することができる。
【図面の簡単な説明】
【００２５】
【図１】空調設備全体図である。
【図２】空調設備のクリーン化方法を説明する図である。            （ａ）塗布前の状態を示す図            （ｂ）塗布・乾燥後の状態を示す図            （ｃ）側管も被覆した完成図
【符号の説明】
【００２６】
１  吸気口
２  ファン
３  フィルター
４  主管
５  フランジまたは点検口
６  側管
７  吹出し口
８  あて板
９  樹脂膜
１０  空調ダクト
【図１】
2007111657.tif 000005
【図２】
2007111657.tif 000006
【手続補正書】
【提出日】平成18年5月19日(2006.5.19)
【手続補正１】
【補正対象書類名】明細書
【補正対象項目名】００２２
【補正方法】変更
【補正の内容】
【００２２】
（実施例２）
設置後１０年経過した亜鉛引き鉄板からなる１ｍの正方形断面の長さ１００ｍの主管空調設備（４）の側管（６）のフランジ（５）を割り、主管壁にあて板（８）をあてた。ついで、先端にノズルのついた噴霧器を既設設備内に送り込んだ。先端が行き止まりとなったところで、水系ポリウレタンエマルジョン（商品名：スーパーフレックス４２０）を２５０ｇ／ｍ２の割合で噴霧を開始し、噴霧しながら引き抜いた。側管の端末側からも同様の操作を実施し、フランジ部を覆ったあて板を撤去し、フランジを接合させた。接合後ファン（２）を回し、乾燥させ、樹脂膜（強度４５Ｎ／ｍｍ２、破断伸度４８０％）を形成した。形成後、空調機の吹出し口（７）から排出される空気中のほこりの数を塵埃測定器で測定したところ、１立方フィート当たり１０００個であった。なお、施工前は１０００００個であった。
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
製膜性の優れた水系または水エマルジョン樹脂を既設の空調設備内に塗布、乾燥させることにより樹脂膜を形成し、空調設備の内部にたまっていたほこりや繁殖していた細菌、カビ類を隔離することにより空調設備をクリーン化することを特徴とする方法。
【請求項２】
製膜後の樹脂膜の強度が１０Ｎ／ｍｍ２以上、破断伸度が３００％以上である請求項１に記載の方法。
【請求項３】
請求項１または２に記載の方法によりクリーン化された既設の空調設備。
【手続補正２】
【補正対象書類名】明細書
【補正対象項目名】０００１
【補正方法】変更
【補正の内容】
【０００１】
本発明は、既設の空調設備（空調室、空調ダクト、じゃばら、吹出し口、吸引口など）のクリーン化方法に関し、さらに詳しくは、空調設備の内部に水系樹脂または水エマルジョン樹脂を塗布することにより、当該樹脂で形成された樹脂膜から構成される清浄な内面を形成することにより、既設の空調設備をクリーン化する方法に関する。
【手続補正３】
【補正対象書類名】明細書
【補正対象項目名】０００５
【補正方法】変更
【補正の内容】
【０００５】
本発明は、クリーン化効果が良好で、かつ作業性に優れた既設の空調設備のクリーン化方法および該方法でクリーン化された既設の空調設備を提供することを目的とする。
【手続補正４】
【補正対象書類名】明細書
【補正対象項目名】０００７
【補正方法】変更
【補正の内容】
【０００７】
すなわち、本発明は、製膜性の優れた水系または水エマルジョン樹脂を既設の空調設備内に塗布、乾燥させることにより樹脂膜を形成し、空調設備の内部にたまっていたほこりや繁殖していた細菌、カビ類を隔離することにより空調設備をクリーン化することを特徴とする方法を提供する。また、本発明は、上記の方法によりクリーン化された既設の空調設備を提供する。
【手続補正５】
【補正対象書類名】明細書
【補正対象項目名】０００９
【補正方法】変更
【補正の内容】
【０００９】
本発明による方法は、製膜性の優れた水系または水エマルジョン樹脂を既設の空調設備内に塗布、乾燥させることにより樹脂膜を形成し、空調設備の内部にたまっていたほこりや繁殖していた細菌、カビ類を隔離することにより空調設備をクリーン化するものである。